(57)【特許請求の範囲】
【請求項１】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御装置であって、
前記非活性移動機からの活性変更要求を受けた場合に、前記活性移動機に対応する網が前記活性移動機とのパケット通信状態を保持しているか判断する判断手段と、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる移動機確認切断手段と、
を備え、
前記判断手段は、前記活性移動機に対応する網が前記活性移動機とのパケット通信状態を保持している場合に、前記移動機確認切断手段の確認結果によらず前記非活性移動機に対し活性変更の拒絶を通知する通信制御装置。
【請求項２】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御装置であって、
前記非活性移動機からの活性変更要求を受けた場合に、前記活性移動機に対応する網が前記活性移動機とのパケット通信状態を保持しているか判断する判断手段と、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる移動機確認切断手段と、
を備え、
前記移動機確認切断手段は、前記活性移動機が通信可能であることが確認された場合に前記非活性移動機に対して活性変更の拒絶を通知する一方、前記活性移動機が通信不可能であることが確認された場合に活性の変更を行う通信制御装置。
【請求項３】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御方法であって、
前記非活性移動機からの活性変更要求を受けた場合に、前記活性移動機に対応する網が前記活性移動機とのパケット通信状態を保持しているか判断する判断ステップと、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる移動機確認切断ステップと、
を含み、
前記判断ステップは、前記活性移動機に対応する網が前記活性移動機とのパケット通信状態を保持している場合に、前記移動機確認切断ステップの確認結果によらず前記非活性移動機に対し活性変更の拒絶を通知する通信制御方法。
【請求項４】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御方法であって、
前記非活性移動機からの活性変更要求を受けた場合に、前記活性移動機に対応する網が前記活性移動機とのパケット通信状態を保持しているか判断する判断ステップと、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる移動機確認切断ステップと、
を含み、
前記移動機確認切断ステップは、前記活性移動機が通信可能であることが確認された場合に前記非活性移動機に対して活性変更の拒絶を通知する一方、前記活性移動機が通信不可能であることが確認された場合に活性の変更を行う通信制御方法。
【請求項５】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御プログラムであって、
前記非活性移動機からの活性変更要求を受けた場合に、前記活性移動機に対応する網が前記活性移動機とのパケット通信状態を保持しているかを判断する処理と、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる処理と、
を実行させ、
前記活性移動機に対応する網が前記活性移動機とのパケット通信状態を保持している場合に、前記確認結果によらず前記非活性移動機に対し活性変更の拒絶を通知する処理を実行する通信制御プログラム。
【請求項６】
パケット通信可能な網を含む複数の網を、前記網に各々対応する複数の移動機を用いて同一の加入者番号で利用可能とする通信システムにおいて、何れか一つの網に対応する移動機のみを活性移動機として他の移動機を非活性移動機とし、さらに、前記活性移動機に対応する網が前記活性移動機と通信中でないときに前記非活性移動機から活性変更要求があった場合に活性の変更を行う通信制御プログラムであって、
前記非活性移動機からの活性変更要求を受けた場合に、前記活性移動機に対応する網が前記活性移動機とのパケット通信状態を保持しているかを判断する処理と、
当該活性移動機に対応する網が前記活性移動機とのパケット通信状態を保持している場合に、当該網を介して前記活性移動機が通信可能であるかを確認し、前記活性移動機が通信不可能であると確認された場合に、当該活性移動機の属する網の前記活性移動機とのパケット通信状態を終了させる処理と、
を実行させ、
前記活性移動機が通信可能であることが確認された場合に前記非活性移動機に対して活性変更の拒絶を通知する一方、前記活性移動機が通信不可能であることが確認された場合に活性を変更する処理を実行する通信制御プログラム。
【請求項７】
請求項５又は６に記載の通信制御プログラムが記録されたコンピュータ読み取り可能な記録媒体。
【発明の詳細な説明】
【０００１】
【発明の属する技術分野】
本発明は、パケット通信可能な網を含む複数の網を、当該網に各々対応する複数の移動機を用いて同一の加入者番号で利用可能とする通信システムにおいて、移動機の活性の変更を行うための通信制御装置、通信制御方法、通信制御プログラム、及び、コンピュータ読み取り可能な記録媒体に関する。
【０００２】
【従来の技術】
第２世代のＰＤＣ方式の移動体通信から、これと全く方式の異なる第３世代のＩＭＴ−２０００（以下、ＩＭＴ）方式の移動体通信への移行期においては、ＩＭＴ網の利用可能エリアが比較的狭い範囲に限定される期間が生ずる。このため、ＰＤＣ網に対応する移動機及びＩＭＴ網に対応するＩＭＴ移動機の２台の端末を使用し、ＰＤＣ網とＩＭＴ網とを同一の加入者番号で利用することのできる、いわゆる、デュアルネットワークサービスの必要性が高いものと予想される。
【０００３】
このような、デュアルネットワークサービスにおいては、同一の加入者番号で同時に２つの網を利用する、いわゆる二重通信を防止することが望ましい。このため、デュアルネットワークを制御するサービス制御局は、何れか一方の移動機のみを登録して利用可能移動機（以下、活性移動機）とし他方の移動機を利用不可能移動機（以下、非活性移動機）とする。また、サービス制御局は、非活性移動機から活性変更の要求、すなわち当該非活性移動機を活性化し、非通信中の活性移動機を非活性化する要求がされた場合には、活性移動機が通信状態かどうか判断し、通信状態でなければ活性変更を行うこととしている。
【０００４】
ところで、移動通信においては、トンネル内への進入等、無線状態の悪化により網への通知なしに活性移動機が通信を終了してしまう、いわゆる異常切断が起こる場合がある。この時、活性移動機が音声通信時等であれば、網への通知なく異常切断が起こっても、網における定期的な通信状態の監査によって、このような異常切断が検出され網の通信状態が解除されて非通信中とされるので、活性移動機と網との状態不一致は起こらない。
【０００５】
しかしながら、パケット通信状態の時に無線状態が悪化して網への通知なく異常切断が起こった場合、活性移動機側では通信不可能とされるのに対し、網はデータの送受信がない場合でもパケット通信状態を保持しようとし、網と活性移動機とで状態が不一致となる。このとき、再度無線状態がよくなれば、活性移動機からの信号により状態不一致は解消されるが、無線状態が解消されない場合はこの不一致状態が長時間持続される。
【０００６】
そして、このような状態不一致時に非活性移動機から活性変更要求が出されても、サービス制御局は、活性移動機に対応する網がパケット通信中であるために、このような活性変更要求を拒絶してしまう。
【０００７】
これを解消する方法として、パケット通信状態において、網から活性移動機に対して定期的に通信状態の確認を行って異常切断を早期に検出し状態不一致を解消する方法や、非活性移動機から活性変更操作が行われた場合に、活性移動機がパケット通信状態である場合には、サービス制御局が活性移動機のパケット通信を強制切断させて活性変更を優先させる方法がある。
【０００８】
【発明が解決しようとする課題】
しかし、定期的に短い周期で活性移動機の通信状態の確認を行うことは、無線資源を圧迫するので好ましくない。一方、無線資源の圧迫を避けるために通信状態の確認周期を長くすると、異常切断の検出までに時間がかかり、その間の非活性移動機からの活性変更要求は拒絶されてしまう。
【０００９】
また、パケット通信状態において非活性移動機からの活性変更要求を常に優先すると、パケット通信におけるメール着信のような、ユーザが意識しない契機で活性移動機において開始される通信が、非活性移動機からの活性変更操作により強制切断される不具合がある。
【００１０】
本発明は、上記課題に鑑みてなされたものであり、無線資源の圧迫や、意図しない通信切断等を起こすことなく、パケット通信中における異常切断後でも非活性移動機からの活性変更を可能とする通信制御装置、通信制御方法、通信制御プログラム、コンピュータ読み取り可能な記録媒体を提供することを目的とする。
【００１１】
【課題を解決するための手段】
上記課題を解決するために、本発明に係る通信制御装置は、パケット通信可能な網を含む複数の網を、上記網に各々対応する複数の移動機を用いて同一の加入者番号で利用可能とする通信システムにおいて、何れか一つの網に対応する移動機のみを活性移動機として他の移動機を非活性移動機とし、さらに、上記活性移動機に対応する網が通信中でないときに上記非活性移動機から活性変更要求があった場合に活性の変更を行う通信制御装置であって、上記非活性移動機からの活性変更要求を受けた場合に、上記活性移動機に対応する網がパケット通信状態であるか判断する判断手段と、当該活性移動機に対応する網がパケット通信状態である場合に、当該網を介して上記活性移動機が通信可能であるかを確認し、上記活性移動機が通信不可能であると確認された場合に、当該活性移動機の属する網のパケット通信状態を終了させる移動機確認切断手段と、を備えることを特徴とする。
【００１２】
これにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致される。このため、これ以後、活性変更要求に応じた活性の変更を行うことが可能とされる。
【００１３】
ここで、本発明の通信制御装置において、上記判断手段は、上記活性移動機に対応する網がパケット通信状態である場合に、上記移動機確認切断手段の確認結果によらず上記非活性移動機に対し活性変更の拒絶を通知することが好ましい。
【００１４】
これにより、移動機確認切断手段による活性移動機の通信状態の確認に必要な時間の経過を待つことなく、非活性移動機に対して直ちに応答がなされる。また、短時間での応答によって通信制御装置における活性変更要求の保持に要するリソースの使用量が少なくされ、処理の効率化が図られる。そして、活性移動機がパケット通信中に異常切断されていた場合は、移動機確認切断手段によって、当該網が非通信状態とされ、再び、非活性移動機からの活性変更要求があれば、活性の変更が適切になされる。
【００１５】
また、本発明の通信制御装置において、上記移動機確認切断手段は、上記活性移動機が通信可能であることが確認された場合に上記非活性移動機に対して活性変更の拒絶を通知する一方、上記活性移動機が通信不可能であることが確認された場合に活性の変更を行ってもよい。
【００１６】
これにより、活性移動機がパケット通信中に異常切断されていた場合に、１回の活性変更要求で適切に活性の変更を行うことが可能とされる。
【００１７】
上記課題を解決するために、本発明の通信制御方法は、パケット通信可能な網を含む複数の網を、上記網に各々対応する複数の移動機を用いて同一の加入者番号で利用可能とする通信システムにおいて、何れか一つの網に対応する移動機のみを活性移動機として他の移動機を非活性移動機とし、さらに、上記活性移動機に対応する網が通信中でないときに上記非活性移動機から活性変更要求があった場合に活性の変更を行う通信制御方法であって、上記非活性移動機からの活性変更要求を受けた場合に、上記活性移動機に対応する網がパケット通信状態であるか判断する判断ステップと、当該活性移動機に対応する網がパケット通信状態である場合に、当該網を介して上記活性移動機が通信可能であるかを確認し、上記活性移動機が通信不可能であると確認された場合に、当該活性移動機の属する網のパケット通信状態を終了させる移動機確認切断ステップと、を含むことを特徴とする。
【００１８】
これにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致される。このため、これ以後、活性変更要求に応じた活性の変更を行うことが可能とされる。
【００１９】
ここで、本発明の通信制御方法において、上記判断ステップは、上記活性移動機に対応する網がパケット通信状態である場合に、上記移動機確認切断ステップの確認結果によらず上記非活性移動機に対し活性変更の拒絶を通知することが好ましい。
【００２０】
これにより、移動機確認切断ステップによる活性移動機の通信状態の確認に必要な時間の経過を待つことなく、非活性移動機に対して直ちに応答がなされる。また、短時間での応答によって通信制御装置における活性変更要求の保持に要するリソースの使用量が少なくされ、処理の効率化が図られる。そして、活性移動機がパケット通信中に異常切断されていた場合は、移動機確認切断ステップによって、当該網が非通信状態とされ、再び、非活性移動機からの活性変更要求があれば、活性の変更が適切になされる。
【００２１】
また、本発明の通信制御方法において、上記移動機確認切断ステップは、上記活性移動機が通信可能であることが確認された場合に上記非活性移動機に対して活性変更の拒絶を通知する一方、上記活性移動機が通信不可能であることが確認された場合に活性の変更を行ってもよい。
【００２２】
これにより、活性移動機がパケット通信中に異常切断されていた場合に、１回の活性変更要求で適切に活性の変更を行うことが可能とされる。
【００２３】
上記課題を解決するために、本発明の通信制御プログラムは、パケット通信可能な網を含む複数の網を、上記網に各々対応する複数の移動機を用いて同一の加入者番号で利用可能とする通信システムにおいて、何れか一つの網に対応する移動機のみを活性移動機として他の移動機を非活性移動機とし、さらに、上記活性移動機に対応する網が通信中でないときに上記非活性移動機から活性変更要求があった場合に活性の変更を行う通信制御プログラムであって、上記非活性移動機からの活性変更要求を受けた場合に、上記活性移動機に対応する網がパケット通信状態であるかを判断する処理と、当該活性移動機に対応する網がパケット通信状態である場合に、当該網を介して上記活性移動機が通信可能であるかを確認し、上記活性移動機が通信不可能であると確認された場合に、当該活性移動機の属する網のパケット通信状態を終了させる処理と、を実行させることを特徴とする。
【００２４】
これにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致される。このため、これ以後、活性変更要求に応じた活性の変更を行うことが可能とされる。
【００２５】
ここで、本発明の通信制御プログラムにおいて、上記活性移動機に対応する網がパケット通信状態である場合に、上記確認結果によらず上記非活性移動機に対し活性変更の拒絶を通知する処理を実行することが好ましい。
【００２６】
これにより、活性移動機の通信状態の確認に必要な時間の経過を待つことなく、非活性移動機に対して直ちに応答がなされる。また、短時間での応答によって通信制御装置における活性変更要求の保持に要するリソースの使用量が少なくされ、処理の効率化が図られる。そして、活性移動機がパケット通信中に異常切断されていた場合は、当該網が非通信状態とされ、再び、非活性移動機からの活性変更要求があれば、活性の変更が適切になされる。
【００２７】
また、本発明の通信制御プログラムにおいて、上記活性移動機が通信可能であることが確認された場合に上記非活性移動機に対して活性変更の拒絶を通知する一方、上記活性移動機が通信不可能であることが確認された場合に活性を変更する処理を実行してもよい。
【００２８】
これにより、活性移動機がパケット通信中に異常切断されていた場合に、１回の活性変更要求で適切に活性の変更を行うことが可能とされる。
【００２９】
上記課題を解決するために、本発明のコンピュータ読み取り可能な記録媒体は、上記何れかの通信制御プログラムが記録されたことを特徴とする。
【００３０】
コンピュータを用いて、上記記録媒体に記録された上記通信制御プログラムを実行することにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致される。このため、これ以降、活性変更要求に応じた活性の変更を行うことが可能とされる。
【００３１】
【発明の実施の形態】
以下、添付図面を参照しながら、本発明に係るサービス制御局の好適な実施形態について詳細に説明する。なお、図面の説明において、同一または相当要素には同一の符号を付し、重複する説明は省略する。
【００３２】
図１は、本実施形態に係るサービス制御局（通信制御装置）３０を有するデュアルネットワークシステム１を示す構成図である。
【００３３】
このデュアルネットワークシステム１は、ＰＤＣ方式により通信を行うＰＤＣ網（網）２と、ＩＭＴ方式により通信を行うＩＭＴ網（網）３と、これらのＰＤＣ網２及びＩＭＴ網３に接続され加入者情報、位置情報、活性情報（詳しくは後述）等を管理制御するサービス制御局（通信制御装置）３０とを備えており、ＰＤＣ用移動機（移動機）４０及びＩＭＴ用移動機（移動機）５０の２台の端末を使用し、ＰＤＣ網２とＩＭＴ網３とを同一の加入者番号で利用可能とする通信システムである。
【００３４】
ＰＤＣ網２は、ＰＤＣ用移動機４０と無線通信可能なＰＤＣパケット用基地局１２と、このＰＤＣパケット用基地局１２に接続されたＰＤＣパケット用交換機１４と、を備えており、ＰＣＤパケット用交換機１４は、ＰＤＣパケット用基地局１２と接続された汎用サーバであって交換機として機能するＰＤＣパケット用加入者系処理装置１１と、このＰＤＣパケット用加入者系処理装置１１及びサービス制御局３０と接続されると共に外部の回線（不図示）と接続された汎用サーバであるＰＤＣパケット用関門中継処理装置１０と、を備えている。
【００３５】
ＩＭＴ網３は、ＩＭＴ用移動機５０と無線通信可能なＩＭＴ用基地局２２と、このＩＭＴ用基地局２２と接続されたＩＭＴ用交換機２４と、を備えており、このＩＭＴ用交換機２４は、ＩＭＴ用基地局２２及びサービス制御局３０と接続されたＩＭＴ用加入者系交換機２１と、このＩＭＴ用加入者系交換機２１及びサービス制御局３０に接続されると共に外部の回線（不図示）と接続されたＩＭＴ用関門中継交換機２０と、を備えている。
【００３６】
ここで、ＰＤＣ用移動機４０は、図２に示すように、移動機を識別するＰＤＣ用機体番号保持部４２と、前述のＰＤＣパケット用基地局１２と無線通信するＰＤＣ用通信部４１と、を備えている。また、ＩＭＴ用移動機５０は、移動機を識別するＩＭＴ用機体番号保持部５２と、前述のＩＭＴ用基地局２２と無線通信するＩＭＴ用通信部５１とを備えている。なお、このＰＤＣ用機体番号保持部４２やＩＭＴ用機体番号保持部５２としては、例えばＳＩＭカードを用いることができる。また、このような２台の端末を用いる代わりに、このようなＰＤＣ用機体番号保持部４２、ＰＤＣ用通信部４１、ＩＭＴ用機体番号保持部５２及びＩＭＴ用通信部５１を一つの筐体に配置したＰＤＣ／ＩＭＴ両用移動機６０を採用することもできる。
【００３７】
サービス制御局３０は、図３に示すように、このサービス制御局３０を制御する制御部３１と、種々の情報が格納される格納部３２と、を備えている。格納部３２には、ＰＤＣ網２とＩＭＴ網３とで同一とされる加入者電話番号に関連する情報を記憶する電話番号記憶部３３を備えており、この電話番号記憶部３３は、加入者電話番号に対応して、ＰＤＣ用移動機４０及びＩＭＴ用移動機５０の機体番号、ＰＤＣ用移動機４０及びＩＭＴ用移動機５０の何れの移動機が利用可能とされているかを示す活性情報、活性な移動機に対応する網において何らかの通信が行われているか否かを示す通信情報、及び、活性な移動機に対応する網がパケット通信状態とされているか否かを示すパケット通信情報と、が格納されている。また、格納部３２は、さらに機体番号に関する情報を記憶する機体番号記憶部３４を備えており、この機体番号記憶部３４には、機体番号に対応してその移動機の位置情報が格納されている。
【００３８】
制御部３１は、加入者情報等の管理をする主処理部７１と、活性な移動機に対応する網が通信状態か否かを判断する通信判断部７２と、活性な移動機に対応する網がパケット通信状態か否かを判断するパケット通信判断部（判断手段）７３と、活性な移動機に対応する網を介して活性な移動機が通信可能かを確認すると共に、活性移動機が通信不可能である場合に網のパケット通信状態を解除させる移動機確認切断部（移動機確認切断手段）７４と、活性変更を行う活性変更部７５と、移動機に対して活性変更の拒絶を通知する拒絶部７６と、を備えて構成されている。
【００３９】
通信判断部７２は、非活性移動機から活性変更の要求があった場合に、電話番号記憶部３３の通信情報に基づいて、活性な移動機に対応する網が通信状態かどうかを判断する。
【００４０】
パケット通信判断部７３は、通信判断部７２において活性移動機に対応する網が通信状態と判断された際に、電話番号記憶部３３のパケット通信情報に基づいて、活性移動機に対応する網がパケット通信状態か否かを判断する。
【００４１】
移動機確認切断部７４は、パケット通信判断部７３において、活性移動機に対応する網がパケット通信状態と判断された場合に、まず、活性移動機に対応する網を介して当該活性移動機が通信可能であるかを確認する。具体的には、活性移動機に対応する網の加入者系処理装置に対して、当該活性移動機の通信状態の監査、すなわち、当該活性移動機が通信可能か否かの確認を行わせる。さらに、活性移動機が通信不可能である場合には、当該網のパケット通信状態を解除させる。
【００４２】
活性変更部７５は、通信判断部７２等の指令によって電話番号記憶部３３の活性情報の変更等を行って活性を変更する。
【００４３】
拒絶部７６は、パケット通信判断部７３等の指令によって、活性変更要求を行った非活性移動機に対して活性変更の拒絶を通知する。
【００４４】
次に、図４の動作シーケンスを参照して、本実施形態にかかるサービス制御局３０を備えたデュアルネットワークシステム１の動作について説明し、併せて、本実施形態に係る通信制御方法について説明する。
【００４５】
本実施形態では、非活性であるＩＭＴ網３のＩＭＴ用移動機５０から活性変更要求がされた場合について説明する。
【００４６】
まず、サービス制御局３０が非活性なＩＭＴ網３のＩＭＴ用移動機５０から活性要求を受けると、サービス制御局３０は、ステップ４０１（Ｓ４０１）において、通信判断部７２により、活性であるＰＤＣ網２が通信状態か否かを判断し、通信状態でなければ、ステップ４０２（Ｓ４０２）へ進んで、活性変更部７５による活性変更を行う。また、ステップ４０１において、ＰＤＣ網２が通信状態と判断された場合はステップ４０３（Ｓ４０３）に進む。
【００４７】
ステップ４０３では、パケット通信判断部７３により、ＰＤＣ網２がパケット通信状態か否かを判断する。ここで、ＰＤＣ網２がパケット通信状態でなく他の通信状態、例えば音声通信状態等であれば、ステップ４０４（Ｓ４０４）に進み、拒絶部７６によってＩＭＴ網３を介してＩＭＴ用移動機５０に対して活性変更の拒絶の応答を行う。
【００４８】
一方、ＰＤＣ網２がパケット通信状態である場合には、まず、ステップ４０５（Ｓ４０５）において、拒絶部７６によって、同様にＩＭＴ網３のＩＭＴ用移動機５０に対して活性変更の拒絶の応答を行う。
【００４９】
そして、サービス制御局３０は、以下のようにして、移動機確認切断部７４によって、ＰＤＣ網２のＰＤＣ用移動機４０が通信可能かどうかを確認すると共に、通信不可能であればパケット通信状態の解除を行う。
【００５０】
具体的には、まず、ＰＤＣ用移動機４０の通信確認を行うべく、ＰＤＣパケット用関門中継処理装置１０を介して、ＰＤＣパケット用加入者系処理装置１１に対して、ＰＤＣ用移動機４０の通信状態を監査するオプションが付加された、パケット用加入者系処理装置１１の通信状態を監査するための通信状態監査要求信号を送出する（ステップ４０６（Ｓ４０６）、ステップ４０７（Ｓ４０７））。
【００５１】
通信状態監査要求を受けたＰＤＣパケット用加入者系処理装置１１は、通信状態監査信号に基づいて、まず、ＰＤＣパケット用加入者系処理装置１１が通信状態か否かを判断し、その結果をＰＤＣパケット用関門中継処理装置１０を介してサービス制御局３０に対して、応答をする（ステップ４０８（Ｓ４０８）、ステップ４０９（Ｓ４０９））。
【００５２】
つぎに、ＰＤＣパケット用加入者系処理装置１１は、ステップ４１０（Ｓ４１０）に進み、ＰＤＣパケット用加入者系処理装置１１が非通信中である場合は、一連の監査を終了する（ステップ４１１（Ｓ４１１））。
【００５３】
一方、ステップ４１０において、ＰＤＣパケット用加入者系処理装置１１が通信状態である場合は、ステップ４１４（Ｓ４１４）に進み、通信状態監査要求にＰＤＣ用移動機４０の通信状態を監査するオプション情報があるかどうかを確認する。
【００５４】
ここで、通信状態監査要求において、監査種別がデフォルト、すなわち、ＰＤＣ用移動機４０の通信状態の監査オプションが無ければ一連の処理を中止する（ステップ４１５（Ｓ４１５））。また、通信状態監査要求において、ＰＤＣ用移動機４０の通信状態の監査オプションが指定されていれば、ステップ４１６（Ｓ４１６）に進み、ＰＤＣ用移動機４０に対して、通信可能であるかを確かめるべく通信状態について問い合わせを行うと共に、ステップ４２１（Ｓ４２１）において、タイマーの起動を行う。
【００５５】
そして、ステップ４１７（Ｓ４１７）においてＰＤＣ用移動機４０からの通信状態問い合わせに対する応答がＰＤＣパケット用加入者系処理装置１１に対してされると、ＰＤＣ用移動機４０が通信可能であることが確認されて、監査による一連の処理を終了する。
【００５６】
一方、ステップ４１６によるＰＤＣ用移動機４０への通信状態問い合わせに対する応答がＰＤＣ用移動機４０から来ず、ステップ４２２（Ｓ４２２）において、タイムアウト状態となった場合は、ＰＤＣ用移動機４０が通信不可能な状態にあると判断し、ステップ４２３（Ｓ４２３）、ステップ４２４（Ｓ４２４）において、ＰＤＣパケット用加入者系処理装置１１からＰＤＣパケット用関門中継処理装置１０を介して、サービス制御局３０に対して、通信解除要求を行なう。
【００５７】
そして、この通信解除要求によってＰＤＣ用移動機４０が通信不可能な状態であると確認したサービス制御局３０は、通信状態を解除すべくステップ４２５（Ｓ４２５）、ステップ４２６（Ｓ４２６）において、ＰＤＣパケット用関門中継処理装置１０を介して、ＰＤＣパケット用加入者系処理装置１１に対して、通信解除の応答をし、ＰＤＣ網２におけるパケット通信状態がクリアされる。また、サービス制御局３０は、格納部３２の電話番号記憶部３３における、通信情報及びパケット通信情報を更新して非通信状態とし、サービス制御局３０における通信状態及びパケット通信状態が解除される。
【００５８】
そして、このようにして、通信状態が解除された後において、再び、ＩＭＴ網３のＩＭＴ用移動機５０から活性変更要求があると、ステップ４０１を経由して、ステップ４０２によって活性変更処理が行われ、ＩＭＴ網３のＩＭＴ用移動機５０の使用が可能とされる。
【００５９】
続いて、本実施形態に係るサービス制御局３０の作用及び効果について説明する。
【００６０】
本発明に係るサービス制御局３０は、パケット通信判断部７３が、非活性移動機からの活性変更要求を受けた場合に活性移動機に対応する網がパケット通信状態であるか判断すると共に、移動機確認切断部７４が、当該活性移動機に対応する網がパケット通信状態である場合に当該網を介して活性移動機が通信可能であるかを確認し、活性移動機が通信不可能である場合に、当該活性移動機の属する網のパケット通信状態を終了させる。
【００６１】
これにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致される。このため、これ以後、活性変更要求に応じた活性の変更を行うことが可能とされる。
【００６２】
また、本実施形態のサービス制御局３０において、パケット通信判断部７３は、活性移動機に対応する網がパケット通信状態である場合に、移動機確認切断部７４の確認結果によらず非活性移動機に対し活性変更の拒絶を通知する。
【００６３】
これにより、移動機確認切断部７４による活性移動機の通信状態の確認に必要な時間の経過を待つことなく、非活性移動機に対して直ちに応答がなされる。また、短時間での応答によってサービス制御局３０における活性変更要求の保持に要するリソースの使用量が少なくされ、処理の効率化が図られる。そして、活性移動機がパケット通信中に異常切断されていた場合は、移動機確認切断部７４によって、当該網が非通信状態とされ、再び、非活性移動機からの活性変更要求があれば、活性の変更が適切になされる。
【００６４】
以下、本発明に係るサービス制御局の変形例について説明する。
【００６５】
本変形例における上記実施形態との相違点は、図３に示すように、上記実施形態においては、パケット通信判断部７３が、活性移動機に対応する網がパケット通信中と判断された場合に移動機確認切断部７４による結果によらず拒絶部７６で非活性移動機に対して活性変更を拒絶するのに対し、本変形例では、パケット通信判断部７３において、図３に点線で示すように、移動機確認切断部７４によって活性移動機が通信可能と確認された場合に、拒絶部７６によって活性変更の拒絶を行う一方、活性移動機が通信不可能と確認された場合には、活性変更の拒絶を行うことなく活性変更部７５によって活性変更を行う点である。
【００６６】
具体的には、図５に示すように、ステップ４０３において、活性なＰＤＣ用移動機４０の属するＰＤＣ網２がパケット通信中であると判断された場合に、直ちにＩＭＴ網３のＩＭＴ用移動機５０に対して活性変更拒絶を通知しないで、移動機確認切断部７４による処理を待ち、ＰＤＣパケット用加入者系処理装置１１がステップ４１７で通信状態問い合わせに対する応答をし、ステップ４３０（Ｓ４３０）、ステップ４３１（Ｓ４３１）によって、ＰＤＣパケット用関門中継処理装置１０を介してサービス制御局３０に対してＰＤＣ用移動機４０が通信可能であることが通知された後に、ステップ４３２（Ｓ４３２）によって、ＩＭＴ網３のＩＭＴ用移動機５０に対して活性変更の拒絶を通知する。
【００６７】
一方、ステップ４２２において、タイムアウトになって、ステップ４２３、ステップ４２４によって、ＰＤＣ用移動機４０が通信不可能であると確認された場合には、サービス制御局３０は、活性変更の拒絶を通知することなくステップ４２９（Ｓ４２９）において、活性変更を行う。
【００６８】
これにより、活性移動機がパケット通信中に異常切断されていた場合に、１回の活性変更要求で適切に活性の変更を行うことが可能とされる。
【００６９】
最後に、本発明の実施形態にかかる通信制御プログラム、および、当該通信制御プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００７０】
図６は、本発明の実施形態にかかる記録媒体の構成図である。記録媒体１５０は、プログラムを記録するプログラム領域１５２を備えている。このプログラム領域１５２には、通信制御プログラム１５６が記録されている。通信制御プログラム１５６は、コンピュータに、デュアルネットワークシステム１の制御をさせるプログラムであって、処理を統括する主処理モジュール１５８と、活性移動機に対応する網が通信中であるか否かを判断する通信判断モジュール１６０と、活性移動機に対応する網がパケット通信中であるか否かを判断するパケット通信判断モジュール１６２と、活性移動機が通信可能であるかを確認し、活性移動機が通信不可能である場合に、当該活性移動機の属する網のパケット通信状態を終了させる移動機確認切断モジュール１６４と、通信判断モジュール１６０の判断等に基づいて活性の変更を行う活性変更モジュール１６６と、パケット通信判断モジュールの判断等に基づいて非活性移動機に対して活性変更の拒絶を通知する拒絶モジュール１６８と、を備えて構成される。ここで、通信制御プログラム１５６を動作させることによって実現する機能は、上記サービス制御局３０の機能と同様である。
【００７１】
図７は、記録媒体１５０に記録された通信制御プログラム１５６を実行するためのコンピュータ（例えばサーバシステム）のシステム構成図であり、図８は、記録媒体１５０に記録された通信制御プログラム１５６を実行するためのコンピュータの斜視図である。コンピュータ１００は、図７及び図８に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信制御プログラム１５６の実行等を制御するＣＰＵ１１４とを備えている。ここで、記録媒体１５０が読み取り装置１０２に挿入されると、記録媒体１５０に記録された情報が読み取り装置１０２からアクセス可能となり、記録媒体１５０のプログラム領域１５２に記録された通信制御プログラム１５６が、コンピュータ１００によって実行可能となる。
【００７２】
上記読み取り装置１０２としては、記録媒体１５０に対応して、フレキシブルディスクドライブ装置、ＣＤ−ＲＯＭドライブ装置、あるいは磁気テープドライブ装置などが用いられる。
【００７３】
なお、本発明は、上記実施形態に限定されるものではなく、種々の変形態様をとることが可能である。例えば、上記実施形態では、ＰＤＣ網２とＩＭＴ網３とを利用可能なデュアルネットワークシステム１におけるサービス制御局３０としているが、３つ以上の網を利用可能なシステムにおけるサービス制御局でも構わない。
【００７４】
【発明の効果】
本発明に係る通信制御装置、通信制御方法、通信制御プログラム及びコンピュータ読み取り可能な記録媒体は、非活性移動機からの活性変更要求を受けた場合に活性移動機に対応する網がパケット通信状態であるか判断すると共に、当該活性移動機に対応する網がパケット通信状態である場合に当該網を介して活性移動機が通信可能であるか確認し、活性移動機が通信不可能であると確認された場合に、当該活性移動機の属する網のパケット通信状態を終了させる。
【００７５】
これにより、パケット通信中の活性移動機が網への通知無く異常切断し当該活性移動機に対応する網でパケット通信状態が保持されたままの状態で、非活性移動機から活性変更の要求がされた場合に、活性移動機が通信不可能であることが確認されて網のパケット通信状態が解除されるので、活性移動機とこれに対応する網の通信状態とが非通信状態となって状態が一致され、これ以後、活性変更要求に応じた活性の変更を行うことが可能とされる。
【図面の簡単な説明】
【図１】本実施形態に係るデュアルネットワークシステムの構成を示すブロック図である。
【図２】図１中の移動機の構成を示すブロック図である。
【図３】図１中のサービス制御局の構成を示すブロック図である。
【図４】本実施形態に係る通信制御方法を示すシーケンス図である。
【図５】変形例に係る通信制御方法を示すシーケンス図である。
【図６】記録媒体の構成図である。
【図７】コンピュータのシステム構成図である。
【図８】コンピュータの斜視図である。
【符号の説明】
１…デュアルネットワークシステム（通信システム）、２…ＰＤＣ網（網）、３…ＩＭＴ網（網）３０…サービス制御局（通信制御装置）、４０…ＰＤＣ用移動機（移動機）、５０…ＩＭＴ用移動機（移動機）、７３…パケット通信判断部（判断手段）、７４…移動機確認切断部（移動機確認切断手段）。
【図１】
0003884634.tif 000002
【図２】
0003884634.tif 000003
【図３】
0003884634.tif 000004
【図４】
0003884634.tif 000005
【図５】
0003884634.tif 000006
【図６】
0003884634.tif 000007
【図７】
0003884634.tif 000008
【図８】
0003884634.tif 000009